(57)【要約】【課題】  簡単な構造で使い易くて壊れにくく、使って便利な条蒔き用の種蒔き器具を作り、条蒔きにおける労力や技術力の負担が軽減できる種蒔き器具として、多くの野菜作りや花作りやガーデニングを楽しみとしている人達に提供する。【解決手段】  本考案は、まず箱船の形をした本体１の船底を抜き取り条蒔き口３とし、船形の内部とやや上の空間を船形スペース２として、その船形スペースに蒔いた種子が条蒔き口から地面に落ちる様にした。更に条蒔き口の形状を長方形にして、幅のある直線状に種子を落とし条蒔きに種子が蒔ける器具にした。また条蒔きの場合は種の特性や目的によって蒔き幅が異なるが、そのために台形の側面４にａの溝とｂの溝を作り、その溝に蒔き幅調節板５を差し込むことによって、条蒔き口３の大きさを変え何段階かに蒔き幅を変られる様にして対応した。【選択図】  図３
0003108549.tif 000002
【実用新案登録請求の範囲】
【請求項１】
箱舟の形状をなす本体（１）の底を取り除いて長方形の蒔き口にして、その蒔き口を条蒔き口（３）とし、また本体の内部から上にかけての空間を船形スペース（２）として、船形スペースに蒔いた種子を条蒔き口を通すことによって、条蒔き口の形状に一定の蒔き幅をもって直線状に蒔ける様にした、更に台形の側面（４）の内側にａの溝（ａ）とｂの溝（ｂ）をつけて、その溝に蒔き幅調節板（５）を差し込むことによって、種子の特性や目的に応じた蒔き幅に条蒔きができる様にした、簡単な構造で使いやすく便利な条蒔き用の種蒔き器具。
【考案の詳細な説明】
【技術分野】
【０００１】  本考案は、底の抜けた箱舟の形状を本体１にもつ、条蒔き用の種蒔き器具に関するものである。
【背景技術】
【０００２】  種蒔きの手法は大きく分けて、ばらばらに蒔く「ばら蒔き」と一定の蒔き幅をもたせて直線状に蒔く「条蒔き」と一か所に数粒ずつ蒔く「点蒔き」に分けられる。最近はポットやマルチを使う関係もあって、専業の園芸農家を中心にして点蒔きが増えてきている傾向にあるが、しかしまだ一番多いのは条蒔きである。【０００３】  そこで、条蒔きにおける背景技術をもう少し考察してみると、専業の園芸農家では高価で種蒔きの作業全般に対応できる様な種蒔き機を使っている所もあるが、まだまだ多くの野菜作りをしている人や花作りをしている人達は、手蒔きか自分なりに少し工夫を凝らした器具を使っている程度である。【０００４】  条蒔きはその労力や技術力を考えてみたとき、どうしても腰の重くなる作業であるが、野菜作りや花作りを手蒔きか簡単な器具でやっている多くの人達が、今欲しいと思っているものは、その技術や労力を補って余りの有る様な高価な種蒔きの機械ではなく、安価で有れば便利で構造が簡単な種蒔きの器具である。
【考案の開示】
【考案が解決しようとする課題】
【０００５】  そこで、条蒔きに焦点を当てて、簡単な構造で使いやすくて壊れにくく、条蒔きにおける労力や必要とされる熟練した技術力を和らげ、目的に合った蒔き幅で直線状に蒔ける様な便利な条蒔き用の種蒔き器具ができないかと考えた。
【課題を解決するための手段】
【０００６】  その課題を解決するために、本考案は、まず箱船の形をした本体１の船底を抜き取り条蒔き口３とし、本体の内部と内部からやや上部の空間を船形スペース２として、その船形スペースに蒔いた種子が条蒔き口から地面に落ちる様にした。更に蒔いた種子は蒔き口の形状に下に落ちる原理を応用して、条蒔き口の形状を長方形にし、幅のある直線状に種子が落ちるようにし、条蒔きに種子が蒔ける様にした。また条蒔きの場合は種の特性や目的によって蒔き幅が異なってくるが、そのために台形の側面４にａの溝とｂの溝を作り、その溝に蒔き幅調節板５を差し込むことによって蒔き幅を変られる様にした。【０００７】  更に条蒔きした種子が、より均等な散らばりに蒔ける様に、私が平成１５年５月１４日実用新案として登録を受けた、登録第３０９５４５８号の考案の名称［種子の数量を調節する孔と網を組み込んだ簡易種まき器」を使って船形スペースに蒔くことにした。
【考案の効果】
【０００８】  その結果、種子の特性や目的に合った条蒔きが、誰にも理想に近い形に簡単にできる様になり、更に簡単な構造の器具なので安価での製品化が可能で、待望の安価で便利で壊れにくい条蒔き用の種蒔き器具が誰にも入手し易くなった。
【考案の実施するための最良の形態】
【０００９】  畑や花壇や苗床の条蒔きをしたい場所に適当なうねをつくり、そのうねの地面の上を角材か板の側面を用いて、蒔きたい幅に押しつぶして条蒔き用の蒔き溝をつくり、次に本体１の条蒔き口３の蒔き幅を、その種子の特性（種子の種類によって異なる栽培上の蒔き幅の特性）や目的（移植用の苗を蒔くための条蒔きなのか、収穫時の採り易さのための条蒔きなのかといった目的）に合わせて、蒔きたい幅に蒔き幅調節板５をセットする。
【００１０】  本考案での蒔き幅は本体のみで使った場合は蒔き幅が５ｃｍになり、ａの溝に蒔き幅調節板５を差し込んで使った場合は蒔き幅が３ｃｍになり、ｂの溝に蒔き幅調節板を差し込んで使用した場合は蒔き幅が１．５ｃｍの三段階に調節できる様な構造に設定してあるが、おおむねこの三段階に設定できれば、条蒔きにおける蒔き幅は事が足りると考えられる。しかし蒔き幅については上記の三段階にこだわるものではない。１ｃｍにもできるし６ｃｍも可能である。
【００１１】  セットが終了したら、最初に作った蒔き溝に条蒔き口３を重ねて置いて、船形スペースに前出の実用新案登録第３０９５４５８号を用いて種子を蒔けば、種子の特性や目的に応じた蒔き幅の条蒔きに蒔ける。更に条蒔き口３を蒔き終えたとなりの蒔き溝に置き換えて重ね、その繰り返しによって長いうねへの条蒔きもできる。なお、実用新案登録第３０９５４５８号を併用する事により、手蒔きでは難しい均等な散らばりに蒔くことも楽にでき、条蒔きにおける労力や技術力の負担も軽減できる。
【実施例】
【００１２】  以下、添付図面に従って一実施例を説明する。１は耐久性のプラスチック等適宜素材にて一体化形成された条蒔き用の種蒔き器具本体、２は箱舟の形をした本体の内部と内部からやや上までの空間で船形スペースといい、この空間が種子を蒔く空間となる。３は条蒔きの蒔き口で、船形スペース２の空間に蒔かれた種子を集めて、条蒔き口３の形を通して（種子の特性や目的によって異なる長方形にして）地面に蒔く。【００１３】５は条蒔きの命といえる蒔き幅を決定する長方形の板で、本体１とは別体の唯一の部品で素材は本体と同じ。４の台形の側面に彫られたａの溝かｂの溝に差し込むことによって蒔き幅を調節し決定する。【００１４】  実用新案登録第３０９５４５８号の考案の名称「種子の数量を調節する孔と網を組み込んだ簡易種まき器」はすでに登録を受けている種まき器で、この種まき器は本考案の「条蒔き用の種蒔き器具」とは別のもので、ばら蒔き用の種まき器である。本考案の「条蒔き用の種蒔き器具」との併用により大きな相乗効果をよぶ。【００１５】  本考案の一実施例は上述の様な構成からなるものであるから、種蒔きの機械ではなくあくまでも種を蒔く器具である。そしてその主題するところは「安価で便利な種蒔き器」にある。
【図面の簡単な説明】
【００１６】
【図１】本考案の本体の見取り図である。
【図２】蒔き幅調節板の正面図である。
【図３】符号ａの溝に蒔き幅調節板を差し込み中の見取り図である。
【図４】符号ｂの溝に蒔き幅調節板をセットした見取り図である。
【符号の説明】
【００１７】１  本体
２  船形スペース
３  条蒔き口
４  台形の側面
５  蒔き幅調節板
６  落下止めの突起
ａ  差し込み溝ａ
ｂ  差し込み溝ｂ
【図１】
0003108549.tif 000003
【図２】
0003108549.tif 000004
【図３】
0003108549.tif 000005
【図４】
0003108549.tif 000006